(57)【要約】【課題】  上製本用の表紙の製作に於いて正確なハードボードの位置決めと技量差の出ない表紙貼を実現する。【解決手段】  求める製本厚さの背表紙用ハードボードをゲージ板にセットするだけで、製本のみぞ幅を確保して表表紙と裏表紙の貼着位置が決まるように、背用ハードボードの保持部を除くゲージ板の厚みを、製本のみぞ幅に合せて構成してあり表紙部材上の正確な位置に背ハードボードが貼れる方式に於いて、ゲージ板に添わせて表紙用ハードボードを置き、貼付け操作圧が一定量を超えると基台が降下するようにしてあり確実な貼着ができる。基台の降下を検出しローラが表紙部材の折り返し部を折りながら、貼り付けるように動作しローラが元の位置に退避すると、基台が初期状態に戻るようにしている。【選択図】        図１
2006026987.tif 000002
【特許請求の範囲】
【請求項１】
上製本に用いるハードカバーの製造装置で、表紙部材を平面状に配置する基台と、背表
紙の厚さに合せて調整可能なゲージユニットを備え、前記ゲージユニットで背表紙を構成
するハードボード部材を挟み保持しながら、前記表紙部材と関連する位置に回動しゲージ
板と、ストッパ部位に合せて表と裏表紙のハードボード部材を、表紙部材に接着可能にし
てあるハードボードの位置決め方法に於いて、前記基台をハードボード部材の天位置を決
める位置で分割し、一方の基台はフレームに固着し、他方の基台はハードボード部材を表
紙部材に貼る加圧作用で降下するように構成してあり、前記フレームに固着した基台の下
部よりローラが、表紙部材を折り曲げハードボード部材に貼り付けるハードカバーの製造
装置。
【請求項２】
上製本に用いるハードカバーの製造装置で、表紙部材を配置する基台の端部を回動自在
に保持し、表表紙と裏表紙のハードボード部材を表紙部材に貼る加圧作用で基台が傾斜下
降するようにし、ローラが基台の傾斜面を上るように移動して表紙部材をハードボード部
材に貼るようにしたハードカバーの製造装置。
【請求項３】
請求項１乃至２記載の上製本に用いるハードカバーの製造装置で、表表紙と裏表紙用の
ハードボード部材を表紙部材に貼る加圧作用で降下した基台が、ローラが表紙部材の折り
返し部位の貼り付け後、元の位置にローラが戻り、基台も初期状態に戻るようにしたハー
ドカバーの製造装置。
【発明の詳細な説明】
【技術分野】
【０００１】
本発明は要求があり次第に上製本を製作する一環として、美麗な仕上がりの表紙を簡単
に製造する装置に関するものである。
【背景技術】
【０００２】
無線綴じ機また接着材の進歩等によって、製本が簡単にできるようになったことは周知
であり、無線綴じ仕上げに飽き足りなく小部数であっても上質な仕上がりの上製本の要求
があった。しかし小部数の厚表紙の製作はその工程の煩わしさから敬遠されることが多く
充分に要求に応えていなかった。
【非特許文献１】ＳＣＨＭＥＤＴ社ＨＡＭＢＵＲＧのカタログ
【０００３】
比較的少量の上製本用表紙の製造は、板上に位置決め突起をつけたものにハードボード
をそれに合せて置き、上面から接着剤を塗布した表紙部材を置くようにする方法や、また
接着剤を塗布した表紙部材を台上に置き、背表紙の幅に合せたゲージ用の冶具を置いてそ
れに合せて表紙、背表紙のハードボードを置き接着する方法がとられていた。この方式は
ＳＣＨＭＥＤＴ社ＨＡＭＢＵＲＧのカタログにも開示されている。
【発明の開示】
【発明が解決しようとする課題】
【０００４】
上製本用の表紙を製造する工程は接着剤を塗布した表紙部材の扱いと位置決め。表紙部
材に対するハードボードの位置決めとその展着。表紙部材のハードボードえの折り返し貼
つけ等人手に頼る部分が多く、仕上がりのばらつきまた手扱いの煩雑さから無用な部位え
の接着材の付着等が避けられないといった煩わしさがあった。
【０００５】
大型設備に頼れない少量生産では、前述のような経験差による仕上がりのばらつき等を
避けることが難しくと言って高額の設備投資は許されず、それらの間を埋める装置で経験
に左右されない仕上がりと生産量等の改善が課題であった。
【課題を解決するための手段】
【０００６】
本発明は表紙部材の楽な位置決めと、表紙部材のずれ防止にエアーで吸着するテーブル
形基台と、背表紙の幅に合せてハードボードを保持するようにしたゲージユニットで、背
表紙用ハードボードを表紙部材に押し圧接着するようにし、ゲージ部材が表紙用のハード
ボードの位置決めガイドを兼ねるようにしている。
【０００７】
本発明では前記表紙用ハードボードをゲージ部材とストッパ部位の２面で位置決めする
ので合せやすく、またハードボードを表紙部材に接着するための押し圧が、一定量を超え
ると前記エアーテーブルが降下するように構成し、固定基台の下部に設置した折り曲げと
貼り付けローラが作動するようにしている。
【発明の効果】
【０００８】
本発明によれば、エアー吸着の基台で表紙部材の位置ずれ防止の他、そりを押さえ込み
背表紙用のハードボードが比較的薄い丸背加工用であっても、気泡を包み込むことなく貼
れ、また表紙用ハードボードの貼り付けにも同様の効果を生むことは言うまでもない。背
表紙用ハードボードを挟みこむゲージ部材の厚みが、上製本のみぞに相当する幅と略同一
であり背表紙用ハードボードを挟むだけで、表紙のみぞ部を確保し表と裏表紙の位置が確
定すると言った効果を奏する。
【０００９】
前記表紙用のハードボードをゲージ部材とストッパ部位に添わせて表紙部材に置き、貼
り付け動作でハードボードを押すと、基台が降下すると共にローラがハードボードの端部
で表紙部材を折り返しながら貼り付け、あと作業の手扱いが容易になると言った効果を奏
する。
【発明を実施するための最良の形態】
【００１０】
表紙部材の正確な位置にハードボード部材が貼り付けられ、その位置と場所を変えるこ
となく表紙部材の折り返しと貼り付け作動等、人と機械の流れるような連係を実現した。
【実施例】
【００１１】
本発明の実施例図１は要部の略平面図であり、１はゲージユニットでゲージ板２Ａと２
Ｂは保持具３Ａと３Ｂに固着してある。側板４Ａと４Ｂはガイド軸５で連結されている。
回動軸６はフレーム７Ａと７Ｂで回動自在に保持されていてガイド軸５と共に保持具３を
貫通している。また側板４Ａと４Ｂの横ずれを止めてあることは言うまでもない。ハンド
ル８は回動軸６に固着されていている。
【００１２】
保持具９は回動軸６の中央部に固着されていて回動軸と共に動くようにしてある。保持
具９の他端部は厚みが約半分にしてあって、その部分に背おさえ板１０の略中心部をねじ
１１で揺動自在に取付けられている。ねじ１２は保持具９を貫通してガイド軸５に固着し
てあって直接に保持具９を固定するものではない。ばね板１３はねじ１４で保持具９に取
り付けてあり、ばね板１３の他端はねじ１２の頭部を押さえていてハンドル８を持ち上げ
ると回動軸６の動きに合せて保持具９が回動し、ねじ１２の頭部でガイド軸５を持ち上げ
ゲージユニット１が持ち上がるようになる。
【００１３】
調整軸１５と従同軸１６は共に側板４Ｂを軸受けとし他端にねじ部を備えていてそれぞ
れの保持具３Ａと３Ｂのねじ部１７と１８にねじ込む形にしてある。ギア１９と２０は同
一歯数で調整軸１５と従同軸１６に取り付けてある。つまみ２１は調整軸１５に取り付け
てある。従ってつまみ２１の回転でゲージ板２Ａと２Ｂは共に内また外方向に同一量移動
できるようになる。２２はＥ形リングでゲージ板の移動範囲を決めるものである。
【００１４】
ゲージ板２Ａと２Ｂは上製本の表紙と背表紙の曲げ部分のみぞ幅と略同一の厚みを持つ
板で、ばね２３はゲージ板２Ａと２Ｂの間に張設してありゲージ板２Ａと２Ｂの先端部で
の開きを規制するものである。
【００１５】
固定基台２４はフレーム７Ａと７Ｂ間を亘るように取り付けてあり、可動基台２５は表
面に摩擦部材２６が貼ってあり後述する貼り付け操作で降下するようにしてある。可動基
台と摩擦部材には貫通する多数の空気孔２７を備えている。ストッパ２８は表紙部材Ｃの
当りであり固定基台２４に取り付けてある。ストッパ部位２９は保持具３Ａと３Ｂの端面
である。ゲージ板２Ａと２Ｂの面Ｇとストッパ部位がハードボード部材貼り付けの基準に
なる。
【００１６】
図２はゲージ板の部分断面でＷは製本のみぞ幅に相当している。溝３０はゲージ板２Ａ
と２Ｂの切欠き部分３１を除き全域で背表紙のハードボードＢを保持する。なお背表紙用
ハードボードの天位置用のストッパを備えていることは言うまでもない。突出部３２は、
ゲージ板の面Ｇに合せて接着剤等を受け付けない材質で要部に複数個取り付けてある。Ｆ
及びＲは表紙用のハードボード部材を示し、Ｂは背用のハードボード部材を示していて、
Ｃは表紙部材を示している。
【００１７】
図３は要部を現した側面図で一部断面である。表紙部材Ｃ及び背用ハードボードＢをセ
ットする状態である。可動基台の軸３３はフレーム７Ａと７Ｂ間に取り付けてある。可動
基台２５の底部を略覆う箱３４は空気室３５を構成しファン３６が取り付けられている。
ラッチ３７はフレーム７Ａと７Ｂに取り付けたボールラッチで、可動基台２５の穴３８に
嵌合して可動基台を略水平に保持している。
【００１８】
ばね３９は可動基台２５を押し上げるように作用するものであり、箱３４の底面と底板
４０の間に複数個取り付けてある。台４１は底板４０に取り付けた枕であってクッション
材４２を備えている。スイッチ４３は可動基台２５が降下したことを検出する。軸４４は
フレーム７Ａと７Ｂに固着してありアーム４５Ａとアーム４５Ｂの一方にはそれぞれロー
ラ４６を備えている。軸４７はアーム４５Ａと４６Ｂを連結するものである。ソレノイド
Ｓはアーム４５Ｂの他端に連結してありソレノイドのＯＮでばね３９と共動するように構
成している。
【００１９】
図４は可動基台が降下した状態の側面図で一部断面である。ハードボード部材が押され
表紙部材が貼り付けられた状態である。ローラ４８の軸は回転自在にスライドレール４９
の可動側に取り付けてあり、固定側はフレーム７Ａと７Ｂに取り付けてある。支柱５０は
スライドレール４９の可動側を連結している。ヒンジ部５１は支柱５０に固着してあって
クランクアーム５２と揺動自在に連結してある。モータＭは外周に凹部５３を備えたカム
板５４を備え、偏芯軸５５でクランクアーム５２を回転自在に連結しクランク部を構成し
ている。スイッチ５６はカム板の一回転を検出しモータＭを停止するものである。
【００２０】
以上詳述したように本発明よれば、背表紙用のハードボードをゲージユニットにセット
し、感圧粘着剤を塗布した表紙部材また接着剤を塗布した表紙部材を可動基台上にセット
して、必要に応じてフアン３６を作動させて表紙部材を固定する。次にゲージユニットを
表紙部材上に降ろしてハンドル８で強く押すと、ゲージ板は略水平位置で停止するが背お
さえ板１０は猶も降下押し付け作用が働き、背用ハードボードはゲージ板を離れて表紙部
材に貼りつく、表紙用のハードボードを面Ｇとストッパ部位に合せての貼り付けの押し動
作でスイッチ４３がＯＮになりモータＭが作動し、ローラ４８が前進後後退し、スイッチ
５６でモータＭが停止すると、可動基台２５が上昇停止し一連の動作を終わる。
【産業上の利用可能性】
【００２１】
前述するようにハードボードの貼り付け操作から、可動基台の降下で２方向また４方向
から連続して表紙部材の折と貼りをする用途にも適用することができる。
【図面の簡単な説明】
【００２２】
【図１】本考案の実施例を示す平面説明図である。
【図２】部分断面説明図である。
【図３】要部を現した側面図であり部材のセット前を示す。
【図４】要部を現した側面図であり表紙貼付け状態を示す。
【図５】説明を補助する部分平面図である。
【符号の説明】
【００２３】
１    ゲージユニット
２Ａ    ゲージ板
２Ｂ    ゲージ板
１０    背おさえ板
２４    固定基台
２５    可動基台
３９    ばね
４５    アーム
４８    ローラ
５２    クランクアーム
Ｍ    モータ
Ｓ    ソレノイド
Ｗ    上製本のみぞ幅
Ｃ    表紙部材
Ｂ    背用ハードボード
Ｆ    表表紙用ハードボード
Ｒ    裏表紙用ハードボード
【図１】
2006026987.tif 000003
【図２】
2006026987.tif 000004
【図３】
2006026987.tif 000005
【図４】
2006026987.tif 000006
【図５】
2006026987.tif 000007